(57)【要約】      （修正有）【課題】簡単確実な操作で短時間（例えば１分強）に「ノーネーム・ノット」などの結線を行うことができる結線具を提供する。【解決手段】結線具１は、リーダー５の表面の周りにライン３を巻き付けて両者を結線する際に用いるものである。結線具１は、リーダー３を通すスリット12が軸方向に貫通するように形成されたライン巻き付け部10を備える。また、ライン巻き付け部10に巻き付けられたラインのループ部分3hの近傍を掛けておくライン掛け部14を備える。さらに、ループ側ライン止め部32、及び、引っ掛け側ライン止め部32´を備える。【選択図】図３
2016063768.tif 000002
【特許請求の範囲】
【請求項１】
リーダー（５）の表面の周りにライン（３）を巻き付けて両者を結線する際に用いる釣糸の結線具（１）であって、
前記リーダー（３）を通すリーダー通しスリット（12）が軸方向に貫通するように形成された筒状のライン巻き付け部（10）と、
該ライン巻き付け部（10）に巻き付けられたライン（３）の部分であるループ部分（3h）の近傍を掛けておくライン掛け部（14）と、
前記ループ部分（3h）につながるラインの部分（ループ側止め部分（3d））を止めておくループ側ライン止め部（32）と、
前記ライン掛け部（14）に掛けられたラインの部分である引っ掛け部分（3j）につながるラインの部分（引っ掛け側止め部分（3m））を止めておく引っ掛け側ライン止め部（32´）と、を備えることを特徴とする結線具。
【請求項２】
前記ライン掛け部（14）が前記ライン巻き付け部（10）の近傍に設けられており、
前記ライン掛け部（14）に掛けられたライン（３）の掛かりを外して生じたライン（３）の弛みを利用して、前記ライン巻き付け部（10）に巻き付けたライン（３）の前記ループ部分（3h）を前記ライン巻き付け部（10）から外し、
外した前記ループ部分（3h）を前記リーダー（５）の外面に掛けるように構成されていることを特徴とする請求項１記載の結線具。
【請求項３】
前記リーダー通しスリット（12）が、前記ライン巻き付け部（10）の軸方向と交差する方向に、前記ライン巻き付け部（10）及び前記ライン掛け部（14）に切り込まれた溝として形成されており、
該スリット（12）を前記軸方向に通した前記リーダー（５）を、該方向と交差する方向にスライドさせて該スリット（12）から取り出し可能であることを特徴とする請求項１又は２記載の結線具。
【請求項４】
前記結線具（１）が、前ヘッド部（18）、後ヘッド部（30）及び両ヘッド部（18・30）をつなぐＣ字若しくはコの字状のアーム（20・24・28）とから構成されており、
前記前ヘッド部（18）に、前記ライン巻き付け部（10）及び前記ライン掛け部（14）が形成されており、
前記後ヘッド部（30）に、前記ループ側ライン止め部（32）及び前記引っ掛け側ライン止め部（32´）が形成されていることを特徴とする請求項１、２又は３記載の結線具。
【請求項５】
さらに、前記リーダー通しスリット（12）を通った前記リーダー（５）を、前記ライン掛け部（14）と前記ライン止め部（32・32´）との間において止めておくリーダー掛け部（26・22）が前記アーム（20・24・28）に形成されていることを特徴とする請求項４記載の結線具。
【請求項６】
前記両ヘッド部（18・30）の中間部に結線部（5c´・3h´）を位置させることの可能なリーダー止め部（16・32）が、前記両ヘッド部（18・30）にそれぞれ形成されていることを特徴とする請求項４又は５記載の結線具。
【請求項７】
請求項１〜６に記載の釣糸の結線具（１）を用いてリーダー（５）の周囲にライン（３）を巻くことを特徴とする釣糸の結線方法。
【発明の詳細な説明】
【技術分野】
【０００１】
本発明は、釣針に接続される比較的太い釣糸（リーダー）に、リールに巻かれる比較的細い釣糸（ライン）を結線する結線具などに関する。特には、「ノーネーム・ノット」（別名：「ぐるぐる結び」）などを簡単に作製できる結線具及び結線方法に関する。
【背景技術】
【０００２】
近年、リールに巻く釣糸（ライン）としては、大物釣りから小物釣りまで、細いポリエチレン製の編糸（ＰＥライン）がリール系の釣糸の主流となっている。そして、この糸の先端に、太めの釣糸（リーダー、例えばナイロンやフロロカーボン製で長さ１〜２ｍ）を繋いで、このリーダーの先に釣針を結んでいる。
【０００３】
ＰＥラインは、ナイロン糸の２〜３倍の引っ張り強度を有しているので、より細いラインの使用が可能となる。そのため、より遠投できることや、魚に警戒心を起させにくいことにより、釣果が上がることが期待されている。また、ＰＥラインはほとんど伸びないことから、魚が釣針にかかったときの「当り」が明確に判るという利点もある。しかしながら、ＰＥラインは、岩や障害物はもちろん、魚のエラやヒレで擦れるだけでも簡単に切れてしまうほど、擦れに弱い欠点を有している。そこで、擦れに強い上記のリーダーをラインの先端に結線することにより、実用上優れた釣糸＜ライン・システム＞を実現している。
【０００４】
このように、太さが違い材質も異なる二本の糸を繋ぐために様々な方法が考案されている。また、その結線方法を少しでも楽にすべく、いろいろな結線具が開発されてきた。ラインとリーダーとの多種の結線方法のなかで、強い力を掛けながらラインをリーダーに巻き付けたり編み込むことで、ラインをリーダーの表面に喰い込ませ、その摩擦力だけで結束する「結び目」のない理想の結線方法として、「ＰＲノット」や「ＦＧノット」、「ＭＩＤノット」が有名である。これらの摩擦系の結線方法は、８０〜１００％の結節強度を発揮するので、大物釣りには必須の結線方法として、釣り人に広く愛用されている。しかしながら、これらの結線方法の欠点は、便利な結線具を駆使しても、結線作業に３分間程度時間がかかってしまうことである。
【０００５】
本願の発明者は、特に上記「ＰＲノット」の結線を容易にするために、特許第5059041号（特許文献１）の結線具を開発した。この結線具は市販されており、「ＰＲノット」の手間と時間を省くものとして好評を博している。しかしながら、この結線具を用いた場合にも、特に条件の悪い釣りの現場では、「ＰＲノット」の結線に相当の時間がかかる。なお、釣行前に自宅で予備のライン・システムをリールとともに準備しておき、釣りの現場で結線が必要になるようなときには、リールごとライン・システムを取り替えてしまうことも行われている。しかしながら、この場合、釣行に持参するリールの数が多くなる。
【０００６】
【特許文献１】特許第5059041号
【０００７】
上記「ＰＲノット」などの摩擦系の結線方法は、８０〜１００％の結節強度がぜひとも必要な大物釣り（例えばマグロやカンパチ、ヒラマサ、大鯛など）では、必須の結線方法である。しかし、アジやメバル、イカ釣りのような中小物釣りでは、多少結節強度が落ちても、より短時間に簡単に結べる結線方法が求められる。
【０００８】
「ノーネーム・ノット」（別名：「ぐるぐる結び」）は、完全な摩擦系ノットではなくリーダー側に結び目があるため、結節強度が７０％とやや落ちるものの、スッポ抜けの失敗が少なく、比較的簡単に手で結線できるため、中小物釣り用として愛用者の多い結線方法である。しかしながら、結線具を用いずに手だけで結線すると、「ノーネーム・ノット」も３分近くかかってしまう。中小物釣りではライン及びリーダーとも細くなることから、特に強い風が吹くような悪条件の釣り場では結線作業が困難となる。
【発明の開示】
【発明が解決しようとする課題】
【０００９】
本発明は、悪条件の釣り場においても、簡単確実な操作で短時間（例えば１分強）に「ノーネーム・ノット」などの結線を行うことのできる結線具を提供することを目的とする。
【課題を解決するための手段】
【００１０】
本発明の結線具は、  リーダー（５）の表面の周りにライン（３）を巻き付けて両者を結線する際に用いる釣糸の結線具（１）であって、  前記リーダー（３）を通すリーダー通しスリット（12）が軸方向に貫通するように形成された筒状のライン巻き付け部（10）と、  該ライン巻き付け部（10）に巻き付けられたライン（３）の部分であるループ部分（3h）の近傍を掛けておくライン掛け部（14）と、  前記ループ部分（3h）につながるラインの部分（ループ側止め部分（3d））を止めておくループ側ライン止め部（32）と、  前記ライン掛け部（14）に掛けられたラインの部分である引っ掛け部分（3j）につながるラインの部分（引っ掛け側止め部分（3m））を止めておく引っ掛け側ライン止め部（32´）と、を備えることを特徴とする。
【００１１】
ライン３及びリーダー５を、結線具１の各部に止めたり、掛けたり、巻き付ける（巻き回す）ことにより、結線するライン３とリーダー５を所望の形態に固定しながら作業を進めることができる。そのため、手指を自由に使え、悪条件の釣り場においても、簡単確実な操作で短時間（例えば１分強）に「ノーネーム・ノット」などの結線を行うことができる。
【００１２】
本発明においては、  前記ライン掛け部（14）が前記ライン巻き付け部（10）の近傍に設けられており、  前記ライン掛け部（14）に掛けられたライン（３）の掛かりを外して生じたライン（３）の弛みを利用して、前記ライン巻き付け部（10）に巻き付けたライン（３）の前記ループ部分（3h）を前記ライン巻き付け部（10）から外し、  外した前記ループ部分（3h）を前記リーダー（５）の外面に掛けるように構成されていることが好ましい。
【００１３】
このように構成することにより、詳しくは図を参照しつつ後述するが、結線初期の段階でライン巻き付け部10上に形成していたラインループ部3hを、一気にリーダー５上に移動させることで、ライン３のリーダー５上への巻き付けに必要な時間を大幅に短縮することができる。
【００１４】
また、本発明においては、  前記リーダー通しスリット（12）が、前記ライン巻き付け部（10）の軸方向と交差する方向に、前記ライン巻き付け部（10）及び前記ライン掛け部（14）に切り込まれた溝として形成されており、  該スリット（12）を前記軸方向に通した前記リーダー（５）を、該方向と交差する方向にスライドさせて該スリット（12）から取り出し可能であることも好ましい。
【００１５】
この場合には、リーダー５の回りに多数回（１０〜１５）ライン３を巻き回したものを、乱れのない形態で結線具１から外して、次の引き締め等の工程へ進むことができる。
【００１６】
本発明の釣糸の結線方法は、上記の釣糸の結線具（１）を用いてリーダー（５）の周囲にライン（３）を巻くことを特徴とする。
【発明の効果】
【００１７】
本発明によれば、悪条件の釣り場においても、簡単確実な操作で短時間（例えば１分強）に「ノーネーム・ノット」などの結線を行うことのできる結線具を提供することができる。
【図面の簡単な説明】
【００１８】
【図１】本発明の実施形態に係る結線具１の構成を示す図であって、（Ａ）は全体の斜視図であり、（Ｂ）はライン巻き付け部10やリーダー通しスリット12・前アーム20などを判り易く示す正面図である。
【図２】図１の結線具を用いて「ノーネーム・ノット」を作成する際に、最初にライン３を結線具１にセットした状態を示す図であって、（Ａ）は結線具１とライン３を示す斜視図であり、（Ｂ）はライン３だけの形態を示す斜視図である。
【図３】図２から進んで、リーダー５も結線具１にセットした状態を示す図であって、（Ａ）は結線具１とライン３及びリーダー５を示す斜視図であり、（Ｂ）はリーダー５だけの形態を示す斜視図である。
【図４】図３から進んで、リーダー５の先端部をライン３に巻き付けた状態を示す図であって、（Ａ）は結線具１とライン３及びリーダー５を示す斜視図であり、図４（Ｂ）はリーダー５だけの形態を示す斜視図である。
【図５】図４から進んで、リーダー５をリーダー掛け部26・24から外して前後に引っ張った状態を示す図であって、（Ａ）は結線具１とライン３及びリーダー５を示す斜視図であり、（Ｂ）はリーダー５だけの形態を示す斜視図である。
【図６】図５から進んで、ライン３をライン掛け部14から外して、ライン３のループ部分3ｈをリーダー５の前延び部分5tの上に掛けた（這わせた）状態を示す図であって、（Ａ）は結線具１とライン３及びリーダー５を示す斜視図であり、（Ｂ）はライン３とリーダー５の形態を示す斜視図である。
【図７】図６から進んで、リーダー５をリーダー通しスリット12から外し、ライン３のループ部分3hをリーダー上で巻き締めた状態を示す図である。
【図８】図７から進んで、ライン３及びリーダー５の端線を仕上げ処理するために、図７のライン３及びリーダー５を前後逆にして結線具１にセットした状態を示す図であって、（Ａ）は結線具１とライン３及びリーダー５を示す斜視図であり、（Ｂ）はライン３とリーダー５の形態を示す斜視図である。
【図９】図８から進んで、ライン３及びリーダー５の端線を仕上げ処理している状態を示す図であって、（Ａ）はライン端線部分3bでリーダー端線の部分5aを仕上げ処理している様子を示す斜視図であり、（Ｂ）はライン端線部分で最終仕上げ処理をしている様子を示す斜視図である。
【符号の説明】
【００１９】
１；結線具、
３：ライン、3b：ライン端線部分、3d：ループ側止め部分、
3f：ループ部分後方直線部分、3h：ループ部分、3h´：ライン結び目
3j：引っ掛け部分、3k：引っ掛け部分後方直線部分、3m：引っ掛け側止め部分、
3p：ライン主線元部分
５：リーダー、5b：リーダー主線端部、5c：巻き回し部分、5c´：結び目、
5n：乗り越え部分、5t：前延び部分、5v：リーダー端線部分
10：ライン巻き付け部、12：リーダー通しスリット、14：ライン掛け部、
16：前側糸止め部、16b：円周溝、17：Ｏリング
18：前ヘッド部、20：前アーム、22：前側糸（リーダー）掛け部、
24、中アーム、26：後側糸（リーダー）掛け部、28：後アーム、28b：孔
30：後ヘッド部、32：糸止め部（ループ側ライン止め部）、
32´：糸止め部（引っ掛け側ライン止め部）、33：Ｏリング
【発明を実施するための形態】
【００２０】
以下、本発明の実施の形態について、図面を参照しながら詳細に説明する。まず図１を参照しつつ本発明の実施形態に係る結線具の構造を説明する。図１（Ａ）は、結線具１の全体構成を示す斜視図である。図１（Ｂ）は、ライン巻き付け部10やリーダー通しスリット12、前アーム20などを判り易く示す正面図である。各図には、説明時に呼ぶ方向（前後・上下・奥手前）が矢印で示されている。
【００２１】
図１の結線具１は、合成樹脂などからなる一体の成形品であって、図１（Ａ）の前上（見た目では右上）に示す前ヘッド部18や、同図の後上（見た目では左上）に示す後ヘッド部分30、及び、両ヘッド部をつなぐ下方に湾曲したＣ字若しくはコの字状のアーム（前アーム20、中アーム24、後アーム28）などの各部が形成されている。なお、アームの湾曲内の空間は、図３や図４を参照しつつ後述するように、ライン３やリーダー５を巻き回すなどの操作をするスペースとなる。
【００２２】
前ヘッド部18には、前方に突出するライン巻き付け部10、上方に突出するライン掛け部14、及び、それぞれ手前方向あるいは奥方向に突出する前側糸止め部16・16´が突設されている。
【００２３】
ライン巻き付け部10は、根元（後側）から先（前側）にテーパー状に少し径大となる円錐台状の突起物である。この外周に、図２に示すように、ライン３を巻き付けてループ部分3ｈを形成する。ライン巻き付け部10には、上から中心に向けてリーダー通しスリット12が切り込まれている。リーダー通しスリット12は、前ヘッド部18やライン掛け部14の中にも通っている（図１（Ｂ）参照）。このリーダー通しスリット12には、リーダー５が通り（図３（Ａ）参照）、その後にリーダー５を上に持ち上げれば、ライン掛け部14の上にリーダー５を外すことができる（図７参照）。
【００２４】
ライン掛け部14は、前ヘッド部18の上に略円筒台状に突出している。ライン掛け部14の奥手前方向中央部には、前述のリーダー通しスリット12が前後方向に貫通している。このライン掛け部14には、前述のライン３のループ部分3hの近傍（引っ掛け部分3j、図２参照）を巻いて掛けておける。そして、同引っ掛け部分3jをライン掛け部14から上に外してラインに弛みを生じさせ、この弛み利用して、ライン３のループ部分3ｈをライン巻き付け部10から外してリーダー５の外面に掛ける（這わせる、図６参照）ことができる。
【００２５】
前側糸止め部16・16´は、それぞれ、前ヘッド部18の手前奥方向に突出する円筒状のものである。糸止め部16には、図１（Ｂ）に示すように、円周溝16bが切られており、同溝には二個のＯリング17が嵌め込まれている。このＯリング17の弾性摩擦を利用してライン３あるいはリーダー５を挟むことによりそれらを止めておくことができる（結線作業中の一時固定）。
【００２６】
前ヘッド部18の下には前アーム20が接続されている。前アーム20は、手前から見た形状が、下に延びて後方へ湾曲している略Ｌ字形である。前アーム20の断面は、湾曲の内側が幅広のＴ字形である（断面形状は次述する中アーム24・後アーム28も同じ）。前アーム20の後部には、手前奥方向にそれぞれ突出する前側糸掛け部（特許請求の範囲にいう「リーダー掛け部」）22・22´が形成されている。前側糸掛け部22の外周面にはＶ字溝22bが形成されている。この前側糸掛け部22や次述する後側糸（リーダー）掛け部26には、結線作業中にリーダー５が一時係止される（図３参照）。
【００２７】
前アーム20の後には中アーム24がつながっている。中アーム24は直線状であり、その後部には、手前奥方向にそれぞれ突出する後側糸掛け部（特許請求の範囲にいう「リーダー掛け部」）26・26´が形成されている。中アーム24の後には後アーム28がつながっている。後アーム28は、湾曲の内側が四分の一円弧状であり、湾曲の外側がＬ字状であり、剛性の高い部分となっている。これは、図７に示すように、後アーム28を摘まんで、ライン３とリーダー５を前に強く引っ張る作業を行う際に十分な強度を持たせるためである。後アーム28に開けられている丸い孔28bは  結線具保持用のヒモ孔である。
【００２８】
後ヘッド部30は後アーム28の上部に接続されている。この後ヘッド部30には、手前側に突出する手前側のループ側糸止め部（特許請求の範囲にいう「ライン止め部」）32と、奥方向に突出する奥側の引っ掛け側糸止め部32´が突設されている。糸止め部32・32´は、それぞれ、後ヘッド部30の手前奥方向に突出する円筒状のものである。糸止め部32は、前述の前側の糸止め部16と同様の構造を有し、二個のＯリング33が嵌め込まれている。このＯリング33の弾性摩擦を利用してライン３を挟むことによりライン３を止めておくことができる（図２（Ａ）など参照）。
【００２９】
次に図２〜図９を参照しつつ、図１の結線具１を用いて「ノーネーム・ノット」を作る作業の一例を説明する。
図２は、最初にライン３を結線具１にセットした状態を示す図であって、図２（Ａ）は結線具１とライン３を示す斜視図であり、図２（Ｂ）はライン３だけの形態を示す斜視図である。
【００３０】
図２では、結線具１は図の状態で、左手で（一例）で保持しておく。通常は、結線作業をする人（結線者）から見て結線具１の前側を右側、後側を左側にして持つ。奥手前方向は、図２を紙面の手前側から見る結線者の奥・手前方向に合致している。なお、図８・図９の仕上げ工程では、左右・奥手前が逆となる。
【００３１】
ライン３は、図左上手前のライン端線部分3b（先が切れている端の部分）を左手の指で摘まんで、ライン３の元側（図示せぬリールに巻いてある側）を右手の指で持って、順次ライン３を引き出すようにして、結線具１の各部に引き回していく。
【００３２】
その引き回し（ラインセット）作業は以下のとおりである。
ア）ライン端線部分3bの元側の部分を、ループ側糸（ライン）止め部32に一巻きしループ側止め部分3dを形成し、これをＯリング33の弾性摩擦を利用して止める。
イ）ループ側止め部分3dの元側を前に引き出して（ループ部分後方直線部分3f形成）、その前側の端をライン掛け部14の根元を半周弱回した後、ライン巻き付け部10に１０〜１５回程度巻き付ける(ループ部分3h形成)。
【００３３】
ウ）ループ部分3hの元側を後上に引いてライン掛け部14に一周巻いて、引っ掛け部分3jを形成する。なお、同部分3jは後の図６の工程でライン掛け部14から上に抜いて取り外しやすいように一周巻きとする。次いで、引っ掛け部分3jの元側を後に引き出してループ部分後方直線部分3fの上をとおして、引っ掛け部分後方直線部分3kを形成する。そして、同直線部分3kの後側の端を奥側の引っ掛け側糸（ライン）止め部32´に２〜３回半程度巻いて（引っ掛け側止め部分3m形成）、これをＯリング33の弾性摩擦を利用して止める。
【００３４】
エ）この状態で、ループ部分後方直線部分3fと引っ掛け部分後方直線部分3kとは、結線具１の前ヘッド部18と後ヘッド部30との間でＸ字形に交差する（引っ掛け部分後方直線部分3kが上）。そして、ライン端線部分3bと、ライン主線元部分3pは、結線具１の後側に出しておく。これで、図２のように、ライン３がしっかりと結線具１にセットされた状態となる。
【００３５】
図３は、図２から進んで、リーダーも結線具にセットした状態を示す図であって、図３（Ａ）は結線具１とライン３及びリーダー５を示す斜視図であり、図３（Ｂ）はリーダー５だけの形態を示す斜視図である。
【００３６】
図３のようにリーダー５をセットするリーダー引き回し作業は次の以下のとおりである。リーダー５をリーダー主線端部５b（図では左上に示す、釣り針に結ぶのの反対側）を右手（右利きの人の一般的な場合）の指でつまみ、結線具１のライン巻き付け部10のリーダー通しスリット12に指し込み、スリット12の後側に通す。これにより、リーダー５はライン３のループ部分3ｈの内側を通って、ライン直線部3f・3kの下側に導入される（リーダー５の部分を示す符号の5t→5r）。
【００３７】
次いで、リーダー５を後上に引いて、ライン３の直線部分3f及び直線部分3kの下を通した（符号の5p）後、両直線部分3f・3kの上を手前に乗り越えさせる（符号の5n）。この状態で、リーダー５はライン３がＸ字状に交差した部分の上に掛かって落ち着く。次いで、リーダー５を後下に引いて(符号の5m)、後側糸掛け部（リーダー掛け部）26に掛けて（符号の5k）、さらに前方に引き（符号の5j）前側糸掛け部（リーダー掛け部）22に掛けて（符号の5h）上に引く（符号の5f）。そして、ライン３の両直線部分3f・3k、及び、その上を越したリーダー５の部分（乗り越え部分5n）の上を乗り越えさせる（符号の5d）。この状態で、リーダー５の部分５m・5j・5fからなる三角形が形成される。
【００３８】
図４は、図３から進んで、リーダー５をライン３に巻き付けた状態を示す図であって、図４（Ａ）は結線具１とライン３及びリーダー５を示す斜視図であり、図４（Ｂ）はリーダー５だけの形態を示す斜視図である。この工程では、リーダー５の主線端部5bの近傍部分を、ライン３の両直線部分3f・3k、及び、リーダーの乗り越え部分5nの回りに、それを束ねるような形で２〜５回（図では３回）巻き回して、巻き回し部分5cを形成する。この巻き回しの際に、リーダー５の主線端部5bをリーダー５の５m・5j・5f部分からなる三角形の中を通す。
【００３９】
図５は、図４から進んで、リーダー５を糸掛け部22・26から外して前後に引っ張った状態を示す図である。図５（Ａ）は結線具１とライン３及びリーダー５を示す斜視図であり、図５（Ｂ）はリーダー５だけの形態を示す斜視図である。リーダー５を糸掛け部22・26から外し、前後方向に均等に引っ張ることにより、図４におけるリーダー５の５m・5j・5f部分からなる三角形状の部分が解消し、リーダー５は、全体としては、直線状になっている。そして、リーダー５はライン３のＸ字形の交差部付近に収束して巻き付き、図４における巻き回し部分5cは、結び目5c´となる。このとき、この結び目部分5c´を８０％程度の力で締め、結び目5c´の中をライン３が滑って動けるようにしておく。
【００４０】
図６は、図５から進んで、ライン３の前側部分をライン掛け部14から外して、ライン３のループ部分3hをリーダー５の前延び部5tの上に掛けた（這わせた）状態を示す図であって、図６（Ａ）は結線具１とライン３及びリーダー５を示す斜視図であり、図６（Ｂ）はライン３とリーダー５の形態を示す斜視図である。
【００４１】
すなわち、図５の状態でライン掛け部14に掛けられていた引っ掛け部分3jを、ライン掛け部14から上にスライドして外し、外したライン３に人差し指を掛けて、結線具１の前側に引く。このとき、結線具１のライン巻き付け部10の外周に巻き回されていたループ部分3hは、ライン巻き付け部10から前に外れて引き出され、ループ状の形態を維持したまま、リーダー５の部分5tの外周に軽く巻き付いた状態で掛かっている。
【００４２】
図７は、図６から進んで、リーダー５を上にスライドさせてリーダー通しスリット12から外し、ライン３のループ部分3hをリーダー５上で前後に引き縮めた状態を示す図である。すなわち、図６の状態から、リーダー５の前側部分を上に持ち上げると、リーダー５はリーダー通しスリット12内を上に上がって外れ、その周りに巻き掛けられているライン３のループ部3hとともに結線具１の前上に、まっすぐ延びる形態となる。
【００４３】
そこから、結線具１の後アーム28を左手（例えば）で持ち、リーダー端線部分５v（釣針を結ぶ側）を右手の指でしっかり摘まみ、リーダー端線部分５vをゆっくりと前側に引っ張る。すると、リーダー結び目5c´は、二本のライン３の上を滑って、ライン３の折り返し点まで移動する。このとき、リーダー５の結び目5c´は、ラインループ部3hを前側に押しやるように前進する。そして、ラインループ部3hが前後方向に押しつめられるとともに、ループが縮まってリーダー５（5tの部分）の外側にきつく巻き付いてライン結び目3h´となる。ここで、これまで８０％程度まで締め込んでいたリーダー５の結び目5c´を１００％締め込んで、ライン結び目3h´と付き合わされた状態で、ライン３の両直線部分3f・3kの交差部の外周に、堅く巻き締める。これで、「ノーネーム・ノット」の一応の結線が終了し、次の仕上げ工程に移る。
【００４４】
図８は、図７から進んで、ライン端線を仕上げ処理するために、結線状態のライン３及びリーダー５を結線具にセット直した状態を示す図であって、図８（Ａ）は結線具１とライン３及びリーダー５を示す斜視図であり、図８（Ｂ）はライン３とリーダー５の形態を示す斜視図である。図８では、図７までと違い、結線具１の前側を図の左側に置いた状態としてある（図９も同じ）。この方が、ライン３の引き回し状態が判り易いからである。ただし、図中の矢印で示す奥手前方向が、通常の図を見る感覚の逆となっている。
【００４５】
図７の状態から、後側糸止め部32に止めていたライン端線部分3bを結線具１から外す。ただし、後側糸止め部32´に止めていた引っ掛け側止め部分3m及びライン主線元部分3pは、そのまま止めておく。そして、結線具１上に、ライン３とリーダー５を、図８に示す仕上げ作業用の形態にセットし直す。
【００４６】
図８では、リーダー主線端部５bは前側に延ばして前側糸止め部16に止める（リーダー５の結び目5c´の前側部分の符号を5aとする）。そして、リーダー５のリーダー端線部分５v（釣針を結ぶ側）を、図の矢印の手前側の後側糸止め部32に一周させて止める。このとき、リーダー５の結び目5c´が、結線具１の前後のヘッド部18・30の中間部あたりに位置するようにリーダー５の止め方を調節する。
【００４７】
リーダー５の結び目5c´の前側からは、ライン端線部分3bが、ある長さ（仕上げのハーフヒッチができる長さ）延び出しており、その先端は切り離されている。もう一方のライン３の部分3rは、リーダー５の結び目5c´を前側に引っ張るよう形で、前側に延びている。そして、リーダー通しスリット12を通ってライン巻き付け部10の周囲を約２周して（3s部分）下後ろへ延び（3t部分）、前側糸掛け部22´及び後側糸掛け部26´の下に掛けて後に延び（3u部分）、そこから上後ろに延びて（3v部分）、糸止め部32´を約２周半巻いて（3m部分、前述のとおりこの部分は図７の状態のままである）、後側へ延びている（ライン主線元部分3p）。
【００４８】
図９（Ａ）は、図８から進んで、ライン端線部分3bでリーダー端線の部分5aを仕上げ処理している様子を示す斜視図であり、図９（Ｂ）はライン端線部分3bで最終仕上げ処理をしている様子を示す斜視図である。
図９（Ａ）では、ライン端線部分3bを、リーダー結び目5c´から前側に延びるリーダー部分5aとライン部分3rを束ねるように巻き回し、ハーフヒッチで５・６回止める。止めたあと、残ったリーダー端線部分5aを１mm程度残して切る。
【００４９】
次いで、図９（Ｂ）に示すように、ライン端線部分3bを、さらにリーダー結び目5c´から前側に延びるライン３の部分3rに巻き付かせるように、ハーフヒッチで５・６回止める。止めたあと、残ったライン端線部分3bを１mm程度残して切る。これは、ライン３の主線（リールに巻かれる側の線）が、リーダー５の切り端と接触して傷むのを防止するためである。これで仕上げ工程も完了である。
【００５０】
これまで述べてきた手順で、「ノーネーム・ノット」（別名「ぐるぐる結び」）を１分強で完成できる。このように結線時間を大幅に短縮できる理由の一つは、結線具を使わずに手で結線するときの手順と比べると、主要な手順を前後逆にしたためである。手で結線する場合は、まずリーダー５に図４で作ったような巻き回し部分5c（図７のように締め込んだときに結び目5c´になるような輪）を作り、この輪の形を崩さないように指で保持しながら、輪の中にライン３を通し、次いでライン３をリーダー５の周りに10〜15回巻き付け、その後に再度ライン３をリーダー５の輪の中を通して元の位置に戻す作業が必要である。このライン３の巻き付け作業は、リーダー５を跨ぎながらの巻き付けとなるため、一回の巻き付け毎に、糸を保持する指を持ち替えながら作業することとなり、時間がかかる。
【００５１】
本実施形態の結線具１では、図２に示す結線初期の段階で、ライン３を結線具１のライン巻き付け部10に巻き付けておき、次に図３に示すようにリーダー５をライン巻き付け部10の中を通す。そして、その後に、図６に示すように、ライン３のループ部3hを一気にリーダー５上に移動させる形をとることで、ライン３のリーダー５上への巻き付けに必要な時間を大幅に短縮することができる。
【００５２】
細いライン３やリーダー５を指で何回も持ち替えながらの作業は、想像以上に面倒なもので、雨や風などの悪天候の下では、手作業での結線が不可能になってしまうことも多々ある。そのため、結節強度が50％程度しかないユニノット（別名：電車結び）など、ライン・システム用の結線方法としては不適切とも言われながら手でも１分間前後で結べる方法に頼ってしまう釣り人が多いのが現状である。
【００５３】
本発明は、結節強度こそ70％程度ながらスッポ抜けのない結線方法として釣り人に愛用されている「ノーネーム・ノット」を、１分程度の短時間で、確実に作ることができる結線具を提供するものである。
【図１】
2016063768.tif 000003
【図２】
2016063768.tif 000004
【図３】
2016063768.tif 000005
【図４】
2016063768.tif 000006
【図５】
2016063768.tif 000007
【図６】
2016063768.tif 000008
【図７】
2016063768.tif 000009
【図８】
2016063768.tif 000010
【図９】
2016063768.tif 000011